【手続補正書】
【提出日】平成25年1月9日(2013.1.9)
【手続補正１】
【補正対象書類名】特許請求の範囲
【補正対象項目名】全文
【補正方法】変更
【補正の内容】
【特許請求の範囲】
【請求項１】
組織開口部を治療するデバイスであって、該デバイスは、
縦方向に延在する本体であって、該本体の手動操作のための近位部分および組織開口部の中に挿入するための遠位部分を有する本体と、
該遠位部分によって支持される縫合糸支持部分であって、該縦方向に延在する本体から離れる方向に延在し、該本体に対して同軸と非同軸の位置との間を移動可能である縫合糸支持部分と
を備えており、該縫合糸支持部分は、該縦方向に延在する本体上の可動な翼部と、縫合糸を解放可能に保持するための縫合糸保持要素を有する該翼部上の標的領域とを含む、デバイス。
【請求項２】
前記縫合糸支持部分は、第２の可動な翼部と、第２の縫合糸保持要素を有する該第２の翼部上の第２の標的領域とを含み、前記縫合糸保持要素および該第２の縫合糸保持要素は、縫合糸上の離間した点を解放可能に保持するために離間されている、請求項１に記載のデバイス。
【請求項３】
前記縦方向に延在する本体は、前記縫合糸支持部分まで縫合糸回収器を誘導する少なくとも１つのガイドを含む、請求項１に記載のデバイス。
【請求項４】
前記少なくとも１つのガイドは、前記回収器を受容する通路を含む、請求項３に記載のデバイス。
【請求項５】
前記通路は、実質的に線状である、請求項４に記載のデバイス。
【請求項６】
前記通路に摺動可能に係合し、かつ可撓性であるが実質的に弾力的でない縫合糸を解放可能に支持する送達デバイスであって、該送達デバイスは、遠位先端に集結する遠位端部分と、該遠位端部分の近位にある縫合糸係合部分とを含む縦方向に延在するシャフトを備えており、該縫合糸係合部分は、該シャフトの側面の中へ形成され、外側縫合糸寸法よりも大きい最小間隔を有する開口部を画定する壁構造を含み、該縫合糸係合部分は、縫合糸受容空洞を含み、該空洞は、該開口部と空洞底部との間に延在し、該縫合糸係合部分は、該外側縫合糸寸法よりも小さい間隔を有する制約を含む、送達デバイス
をさらに備えている、請求項４に記載のデバイス。
【請求項７】
前記縫合糸係合部分は、シャフトの外面から近位に溝の中へ延在する斜面を含む溝開口部を有する、該シャフトの側面まで縦方向に延在する溝開口部であり、該溝開口部は、遠位に延在する突起によってさらに画定される、請求項６に記載のデバイス。
【請求項８】
組織を縫合するデバイスであって、該デバイスは、近位部分および遠位部分を有する縦方向に延在する本体と、該本体の該遠位部分から横方向に延在する標的支持部と、該標的支持部によって支持され、実質的に穿孔されていない近位の接面を有する実質的に弾力的で可撓性の材料から形成されている標的要素とを備えており、該材料は、該材料に埋め込まれた１本の縫合糸を４分の１オンスの引張に対して保持することに少なくとも十分である摩擦係数を有する、デバイス。
【請求項９】
前記標的支持部は、前記本体と垂直な横方向位置と前記本体と平行な軸方向位置との間で移動可能である、請求項８に記載のデバイス。
【請求項１０】
前記本体は、前記標的支持部が前記横方向位置にあるときに、該標的支持部に実質的に交差する線に沿って延在する、チャネルを画定する壁をさらに含む、請求項９に記載のデバイス。
【手続補正２】
【補正対象書類名】明細書
【補正対象項目名】００２４
【補正方法】変更
【補正の内容】
【００２４】
本発明は、例えば、以下の項目も提供する。
（項目１）
組織開口部を治療するデバイスであって、該デバイスは、近位部分および遠位部分を有する縦方向に延在する本体と、該本体の該遠位部分によって支持される手段であって、縫合糸上の離間した場所において該縫合糸を支持する手段と、該本体の該近位部分上の手段であって、該縫合糸支持手段まで縫合糸受容器を誘導する手段とを備える、デバイス。
（項目２）
上記縫合糸支持手段は、上記本体から実質的に横方向に延在する縫合糸支持部を含む、項目１に記載のデバイス。
（項目３）
上記縫合糸支持手段は、上記本体上の上記実質的に横方向の位置と実質的に同軸の位置との間で移動可能である、項目２に記載のデバイス。
（項目４）
上記縫合糸支持手段は、縫合糸の離間した部分を取外し可能に支持する離間したアンカを含む、項目１に記載のデバイス。
（項目５）
開口部の組織を治療するデバイスであって、該デバイスは、縦方向に延在する本体であって、該本体の手動操作のための近位部分および組織開口部の中に挿入するための遠位部分を有する本体と、該遠位部分によって支持される縫合支持部分であって、該縦方向に延在する本体から離れる方向に延在し、該本体に対して同軸と非同軸の位置との間を移動可能ある縫合糸支持部分とを備えており、該縫合糸支持部分は、縫合糸上の離間した点を解放可能に保持する第１および第２の離間した縫合糸保持要素を含む、デバイス。
（項目６）
上記縫合糸支持部分は、上記縦方向に延在する本体上の可動な翼部と、該縫合糸支持部分を含む該翼部上の標的領域とを含む、項目５に記載のデバイス。
（項目７）
上記縦方向に延在する本体は、上記縫合糸支持部分まで縫合糸回収器を誘導する少なくとも１つのガイドを含む、項目５に記載のデバイス。
（項目８）
上記少なくとも１つのガイドは、上記回収器を受容する通路を含む、項目７に記載のデバイス。
（項目９）
上記通路は、実質的に線状である、項目８に記載のデバイス。
（項目１０）
可撓性であるが実質的に弾力的でない縫合糸を解放可能に支持するデバイスであって、該デバイスは、遠位先端に集結する遠位端部分と、該遠位端部分の近位にある縫合糸係合部分とを含む縦方向に延在するシャフトを備えており、該縫合糸係合部分は、該シャフトの側面の中へ形成され、外側縫合糸寸法よりも大きい最小間隔を有する開口部を画定する壁構造を含み、該縫合糸係合部分は、縫合糸受容空洞を含み、該空洞は、該開口部と空洞底部との間に延在し、該縫合糸係合部分は、該外側縫合糸寸法よりも小さい間隔を有する制約を含む、デバイス。
（項目１１）
上記縫合糸係合部分は、シャフトの側面まで縦方向に延在する溝開口部である、項目１０に記載のデバイス。
（項目１２）
上記縫合糸係合部分の上記開口部は、上記シャフトの外面から近位に上記溝の中へ延在する斜面を含み、該開口部は、遠位に延在する突起によってさらに画定される、項目１１に記載のデバイス。
（項目１３）
上記突起は、端部分を含み、上記制約は、該端部分の近位に位置する、項目１２に記載のデバイス。
（項目１４）
上記シャフトを接合するハンドルと、上記空洞と実質的に整列している該ハンドル上の指標とをさらに含む、項目１０に記載のデバイス。
（項目１５）
可撓性であるが実質的に弾力的でない縫合糸を解放可能に支持するデバイスであって、該デバイスは、遠位先端に集結する遠位端部分および該先端の近位にある上記シャフト上に非対称面を有する縦方向に延在するシャフトと、該シャフトと接合されるハンドルとを備えており、該ハンドルは、該シャフト上の該非対称面と実質的に整列している指標を含む、デバイス。
（項目１６）
上記非対称表面は、溝である、項目１５に記載のデバイス。
（項目１７）
上記指標は、上記ハンドル上の縦方向に延在する隆起である、項目１５に記載のデバイス。
（項目１８）
上記指標は、上記ハンドル上の縦方向に延在する溝である、項目１５に記載のデバイス。
（項目１９）
上記指標は、上記ハンドル上の触覚要素である、項目１５に記載のデバイス。
（項目２０）
組織を縫合するデバイスであって、該デバイスは、近位部分および遠位部分を有する縦方向に延在する本体と、該本体の該遠位部分から横方向に延在する標的支持部と、該標的支持部によって支持され、実質的に穿孔されていない近位の接面を有する実質的に弾力的で可撓性の材料から形成されている標的要素とを備えており、該材料は、該材料に埋め込まれた１本の縫合糸を４分の１オンスの引張に対して保持することに少なくとも十分である摩擦係数を有する、デバイス。
（項目２１）
上記材料は、熱硬化性樹脂および熱可塑性物質の材料の群から選択される、項目２０に記載のデバイス。
（項目２２）
上記標的支持部は、上記本体と垂直な横方向位置と上記本体と平行な軸方向位置との間で移動可能である、項目２０に記載のデバイス。
（項目２３）
上記本体は、上記標的支持部が上記横方向位置にあるときに、該標的支持部に実質的に交差する線に沿って延在する、チャネルを画定する壁をさらに含む、項目２２に記載のデバイス。
（項目２４）
組織閉鎖アセンブリであって、
手動配置のための近位部分を有し、組織層の開口部の中に挿入するための遠位部分を有する縦方向に延在する本体と、該縦方向に延在する本体上の第１の軸方向位置における第１の針受容開口部、および該第１の軸方向位置の遠位にある該縦方向に延在する本体上の第２の軸方向位置における受容領域を画定する第１の壁と、該第１と第２の軸方向位置との間の該縦方向に延在する本体上の第３の軸方向位置における遮蔽体とを備えており、該遮蔽体は、該第１の開口部を越え、該受容領域を越えて、該縦方向に延在する本体から外向きに延在する、アセンブリ。
（項目２５）
上記遮蔽体は、実質的に円形である、項目２４に記載のアセンブリ。
（項目２６）
上記開口部は、実質的に漏斗状の通路の中への開口部を画定する、項目２４に記載のアセンブリ。
（項目２７）
上記受容領域は、操作者の指による便利な保持のために構成される、項目２４に記載のアセンブリ。
（項目２８）
上記受容領域は、第１の受容領域であり、上記アセンブリは、上記縦方向に延在する本体の上で該第１の受容領域とは実質的に反対側に設置される第２の受容領域をさらに含む、項目２４に記載のアセンブリ。
（項目２９）
上記アセンブリは、実質的に直径に沿って相互に反対側の第１および第２の開口部と、実質的に直径に沿って相互に反対側の第１および第２の受容領域とを含み、該第１および第２の開口部における第１の直径は、該第１および第２の受容領域における第２の直径と実質的に垂直である、項目２４に記載のアセンブリ。
（項目３０）
操作者の指を受容するための第１の開口部を画定する、少なくとも１つの壁をさらに含む、項目２４に記載のアセンブリ。
（項目３１）
組織閉鎖アセンブリであって、
手動配置のための近位部分および組織層の開口部の中に挿入するための遠位部分を有する縦方向に延在する本体と、少なくとも部分的に縦方向に延在する外側本体壁と、第１の通路に対する第１の開口部を画定する第１の壁であって、該第１の通路は、該縦方向に延在する本体の第１の側面上の近位位置から、該縦方向に延在する本体の第２の側面上の遠位位置まで少なくとも部分的に軸方向に延在する、第１の壁と、該外側本体壁の中への第２の開口部を画定し、該第１の開口部を接合する第２の壁とを備えており、該第２の開口部は、該第１の側面上の該近位位置から該縦方向に延在する本体の該第２の側面上の該遠位位置まで延在する、アセンブリ。
（項目３２）
上記第２の壁は、縦方向に、かつ上記縦方向に延在する本体の周囲に少なくとも部分的に延在している、項目３１に記載のアセンブリ。
（項目３３）
組織開口部を治療する方法であって、組織表面が縦方向に延在する本体上の指標と実質的に整列するまでであるが、該本体上の任意の横方向に延在する表面が該組織表面に接触する前に、該開口部の中に該縦方向に延在する本体を挿入することを含み、該指標が該組織表面と実質的に整列させられた後に、該縦方向に延在する本体から該組織に対して第１の構造を展開することを含む、方法。
（項目３４）
上記第１の構造を展開することは、上記指標とは反対側の上記組織の側面上の場所において、上記縦方向に延在する本体から標的構造を展開することを含む、項目３３に記載の方法。
（項目３５）
上記開口部の中に上記縦方向に延在する本体を挿入する前に、上記第１の構造の中に縫合糸を挿入することをさらに含む、項目３３に記載の方法。
（項目３６）
上記組織に縫合糸を通過させることと、上記第１の構造によって支持される材料に該縫合糸を埋め込むこととをさらに含む、項目３３に記載の方法。
（項目３７）
上記組織表面の近位であって、上記縦方向に延在する本体上の遮蔽体の遠位である、該縦方向に延在する本体上の表面を手動で把持することをさらに含む、項目３３に記載の方法。
（項目３８）
組織開口部を治療する方法であって、組織開口部の中に挿入されるべきデバイスの遠位部分上に少なくとも１つの縫合糸部分を固定することと、該デバイスの該遠位部分および該少なくとも１つの縫合糸部分を該組織開口部の中に導入することと、該組織開口部に隣接する組織を通して回収要素を挿入し、該少なくとも１つの縫合糸部分を係合することと、該組織を通して該少なくとも１つの縫合糸部分を引き抜くこととを含む、方法。
（項目３９）
上記少なくとも１つの縫合糸部分を固定することは、上記デバイスの上記遠位部分上に該少なくとも１つの組織部分の離間したセグメントを固定することを含む、項目３８に記載の方法。
（項目４０）
離間したセグメントを固定することは、上記デバイス上の離間した場所において上記セグメントを固定することを含む、項目３９に記載の方法。
（項目４１）
離間した場所に固定することは、上記本体の可動翼部上に上記セグメントを固定することを含む、項目４０に記載の方法。
（項目４２）
回収要素を挿入することは、上記本体上の通路を通して回収要素を挿入することを含む、項目３８に記載の方法。
（項目４３）
通路を通して回収要素を挿入することは、実質的に直線の通路に沿って回収要素を挿入することを含む、項目４２に記載の方法。
（項目４４）
少なくとも１つの縫合糸部分を係合することは、該少なくとも１つの縫合糸部分を上記回収要素上のジョーデバイスと係合させることを含む、項目３８に記載の方法。
（項目４５）
少なくとも１つの縫合糸部分に係合することは、該少なくとも１つの縫合糸部分を上記回収要素上のフックと係合させることを含む、項目３８に記載の方法。
（項目４６）
離間したセグメントを固定することは、摩擦材料に埋め込まれること、締まり嵌めによって少なくとも１つの構造に係合すること、摩擦係合、包装、クリート、または締め付けのうちの１つによって、上記デバイス上の離間した場所において該セグメントを固定することを含む、項目３９に記載の方法。
これらの実施例および他の実施例は、図面と併せて以下でより完全に説明され、以下にその簡単な説明が続く。